(57)【要約】【課題】ブロックへの装着が容易であるケーブルキャリアを提供すること。【解決手段】複数のブロック１０を互いに連結させて屈曲自在とし、前記連結されたブロックの内部にケーブル１００を収納し、前記ブロックに蓋７０を被せて内部のケーブルを保護するケーブルキャリア１において、前記ブロックは、互いのブロックと連結する連結部と、前記ケーブルを装着するための開放面が形成され内部に前記ケーブルを収納する収納部を有し、前記蓋は、前記ブロックの連結方向に沿って、蛇腹形状に形成され、前記ブロックに設けられた取付け部に係合する係合部を複数有して、前記連結された複数のブロックの開放面を覆う。【選択図】図５
2015175384.tif 000002
【特許請求の範囲】
【請求項１】
複数のブロックを互いに連結させて屈曲自在とし、前記連結されたブロックの内部にケーブルを収納し、前記ブロックに蓋を被せて内部のケーブルを保護するケーブルキャリアにおいて、
前記ブロックは、互いのブロックと連結する連結部と、前記ケーブルを装着するための開放面が形成され内部に前記ケーブルを収納する収納部を有し、
前記蓋は、前記ブロックの連結方向に沿って、蛇腹形状に形成され、前記ブロックに設けられた取付け部に係合する係合部を複数有して、前記連結された複数のブロックの開放面を覆う
ことを特徴とするケーブルキャリア。
【請求項２】
前記蓋は、一定周期の山谷で形成された前記蛇腹形状の谷の部分に、前記係合部を設ける
ことを特徴とする請求項１に記載のケーブルキャリア。
【請求項３】
前記蓋は、前記蛇腹形状の山谷の複数周期ごとに前記係合部を設ける
ことを特徴とする請求項２に記載のケーブルキャリア。
【請求項４】
前記蓋は、前記帯状の側面から突出するよう前記係合部を設ける
ことを特徴とする請求項１に記載のケーブルキャリア。
【請求項５】
前記蓋は、前記蛇腹形状の山谷の１周期が、前記隣接するブロックの取付け部間の間隔に対しＮ分の１（Ｎは１以上の整数）になるよう形成される
ことを特徴とする請求項２に記載のケーブルキャリア。
【請求項６】
前記蓋は、前記蛇腹形状として、前記ブロックの連結方向に沿って一定周期で繰り返される凹凸形状を設ける
ことを特徴とする請求項１に記載のケーブルキャリア。
【請求項７】
前記蓋は、前記帯状の側面に所定の間隔で切り込み部を設ける
ことを特徴とする請求項１に記載のケーブルキャリア。
【請求項８】
前記蓋は、前記蛇腹形状を形成する面に、段差面を設ける
ことを特徴とする請求項１に記載のケーブルキャリア。
【請求項９】
前記蓋は、薄肉のプラスチック成型シートである
ことを特徴とする請求項１に記載のケーブルキャリア。
【請求項１０】
相互に連結されて内部のケーブルを屈曲自在に保護するブロックから構成されるケーブルキャリアに取付けられ、前記ブロックの前記ケーブルを装着するための開放面を覆うケーブルキャリア用の蓋において、
前記蓋は、前記連結されたブロックの連結方向に沿って蛇腹形状に形成され、前記ブロックに取付けられ前記連結された複数のブロックの開放面を覆う
ことを特徴とするケーブルキャリア用の蓋。
【発明の詳細な説明】
【技術分野】
【０００１】
本発明は、装置とユニット間に配線されるケーブルを保護するケーブルキャリアおよび蓋に関する。
【背景技術】
【０００２】
ケーブルキャリアはケーブルベア（登録商標）とも呼ばれ、機構ユニットを動かす際にケーブルを安定して動作させる部材である。例えば、金融機関等に広く設置される自動取引装置（ＡＴＭとも呼ばれる）で、搭載されるメカユニットを組立や保守時に本体から引き出す際に、本体と繋がるケーブルを保護するために用いられる。
【０００３】
ケーブルキャリアの構造例として、例えば特許文献１に記載のものがある。図９〜図１２を用いて、特許文献１に記載されている従来のケーブルキャリアの構造を簡単に説明する。図９は、従来のケーブルキャリア２００の全体図である。ケーブルキャリア２００はコの字状の断面をもった40〜80ミリ程度の箱構造のブロック２１０が、必要な長さ分連結されて構成される。
【０００４】
ケーブル１００は、連結されたブロック２１０の内部に納まり、動作時にこの箱の動きに沿った動作しかできないように規制される。ケーブル１００ａ側が本体側で、ケーブル１００ｂ側がユニット側になる。不図示のユニットがＲ方向に移動するのにあわせて、ケーブルキャリア２００は屈曲位置を変えながら、斜め上方向に移動する。
【０００５】
図１０は、連結前のブロック２１０の２つを、連結方向に並べた図である。連結される各ブロック２１０は同一形状である。ブロック２１０は、合成樹脂等を成形加工することにより形成される。ブロック２１０は、一対の外プレート部２３０と、一対の外プレート部２３０の後部に一体に接続された一対の内プレート部２４０と、外プレート部２３０と内プレート部２４０を接続するような底プレート部２５０を備える。ブロック２１０の上面は、ケーブル１００を収納するための開放面となっている。
【０００６】
前のブロック２１０−１の内プレート部２４０を、後ろのブロック２１０−２の外プレート部２３０の間に挿入して、ブロック２１０同士を組み合わせることができる。そして、この組み合わせた状態で、ブロック２１０同士が互いに屈曲可能に連結される様に、一対の内プレート部２４０の外壁には、円柱状の連結突起２４０aが形成される。対応して、一対の外プレート部２３０には、この連結突起２４０aと嵌合する連結孔２３０ａが形成される。
【０００７】
また、一対の外プレート部２３０の後端上部には、収納したケーブル１００が開放面から飛び出さない様にするための蓋が取付けられる蓋取付け開口２３０ｂが形成される。
【０００８】
図１１は、連結されるケーブル１００が収納された状態のブロック２１０を示す図である。図１１は、蓋取付け開口２３０ｂに蓋２７０が取付けられる前の状態を示す。蓋２７０は両端に突起部２７０ａが設けられる。図１２は、蓋２７０が蓋取付け開口２３０ｂに装着されたブロック２１０を示す図である。連結されるケーブル１００が収納された各ブロック２１０の１つ１つに、蓋２７０が取付けられる。
【先行技術文献】
【特許文献】
【０００９】
【特許文献１】特開平７−１１１７２０号公報
【発明の概要】
【発明が解決しようとする課題】
【００１０】
上述したケーブルキャリアでは、ケーブルがブロックからはみ出ないようにするために、各ブロックのケーブルを入れる側の面に蓋をする構成になっている。そして、ケーブルキャリアは多数のブロック数から構成されるので、全てのブロックに蓋を取付けるために、かなりの時間が必要となる。更に、蓋の過不足の管理や確実にブロックに嵌合されているかを確認作業も必要となる。また、蓋を取り付け後の稼働時に、ブロックに何らかの過度な力が掛かり、ブロックが膨れて、蓋が外れ、他の部品内へ入り込み、障害を引き起こすこと等がある。
【００１１】
本発明は、上記課題に鑑み、ブロックへの装着が容易であるケーブルキャリアを提供することを目的とする。
【課題を解決するための手段】
【００１２】
上記目的を達成するために、複数のブロックを互いに連結させて屈曲自在とし、前記連結されたブロックの内部にケーブルを収納し、前記ブロックに蓋を被せて内部のケーブルを保護するケーブルキャリアにおいて、前記ブロックは、互いのブロックと連結する連結部と、前記ケーブルを装着するための開放面が形成され内部に前記ケーブルを収納する収納部を有し、前記蓋は、前記ブロックの連結方向に沿って、蛇腹形状に形成され、前記ブロックに設けられた取付け部に係合する係合部を複数有して、前記連結された複数のブロックの開放面を覆う。
【発明の効果】
【００１３】
本発明によれば、ブロックへの装着が容易であるケーブルキャリアを提供することができる。
【図面の簡単な説明】
【００１４】
【図１】ケーブルキャリアを構成するブロック単体の構造を示す図である。
【図２】連結される前の２つのブロックを連結方向に並べた図である。
【図３】蓋が装着される前のケーブルキャリアを示す図である。
【図４】蓋の構造を示す図である。
【図５】ケーブルキャリアの一部を拡大して示す図である。
【図６】ブロックの屈曲に応じて蓋が伸縮する様子を模式的に示す図である。
【図７】ケーブルキャリアの全体を示す図である。
【図８】蓋の蛇腹形状の他の例を示す図である。
【図９】従来のケーブルキャリアの全体図である。
【図１０】従来のブロックを連結方向に２つ並べた図である。
【図１１】従来の連結されるケーブルが収納された状態のブロックを示す図である。
【図１２】従来の蓋が蓋取付け開口に装着されたブロックを示す図である。
【発明を実施するための形態】
【００１５】
以下、図面に従って本発明の実施形態を説明する。図１は、本実施形態のケーブルキャリアを構成するブロック１０単体の構造を示す図である。図１Ａは、連結される前のブロック１０単体を斜め上から見た斜視図である。図１Ｂは、ブロック１０を図１Ａとは別な角度から見た図である。
【００１６】
ブロック１０は、幅方向に所定距離離間して配置された一対のサイドプレート部２０と、これら一対のサイドプレート部２０の下端部を互いに接続するための底プレート部５０からなる。一対のサイドプレート部２０は、ケーブル１００を左右側面から挟むように保護して、一対のサイドプレート部２０と底プレート部５０により、電線等のケーブルを収納するための収納部６０が構成される。
【００１７】
収納部６０は、上部がケーブルを収納するための開放面になった、略矩形状の断面である。ブロック１０の開放面は、ケーブル収納後に後述する蓋で覆われる。ブロック１０は、例えばプラスチック等の成型品である。なお、図１に示すように、サイドプレート部２０の壁に平行な方向を前後方向と呼び、図１で見て左を前側、右を後ろ側と呼ぶ。また、前後方向に直交する方向を、幅方向または左右方向と呼び、左右は図１に示す通りとする。
【００１８】
サイドプレート部２０は、ブロック１０の前部を構成する一対の外プレート部３０と、この外プレート部３０の後部に一体に接続された一対の内プレート部４０とを有する。一対の外プレート部３０の内壁間の内寸法Ｄは、一対の内プレート部４０の外壁の外寸法Ｄ´より、僅かに大きく設定される。
【００１９】
このように設定されることにより、前側のブロック１０の一対の内プレート部４０を、後ろ側のブロック１０の一対の外プレート部３０に挿入して、ブロック１０を同形状の他のブロック１０と組み合わせることができる。
【００２０】
そして、この組み合わせた状態で、ブロック１０同士が互いに屈曲可能に連結される様に、一対の内プレート部４０の外壁部には、円柱状の連結突起４２が形成され、一対の外プレート部３０の前側には、連結突起４２と嵌合する連結孔３２が形成される。連結突起４２と連結孔３２により連結部が構成される。
【００２１】
また、ブロック１０同士を連結するときに、その連結動作がスムーズに行える様に、一対の外プレート部３０の内壁の前端には、前端が広がるような斜面３０ａが形成される。また、一対の内プレート部４０上に形成された連結突起４２の後端部には斜面４２ａが形成される（図１Ｂ参照）。このように、斜面３０ａと斜面４２ａが形成されていることにより、２つのブロック１０をスライドさせて連結させるときに、外プレート部３０の前端部が連結突起４２の後端部に容易に乗り上げるため、２つのブロック１０をスムーズに連結することができる。
【００２２】
一対の外プレート部３０の上部には、長方形状の蓋取付け開口３４が形成される。ケーブルを収納した後のブロック１０には、ケーブルの外への飛び出しを防止するための蓋が取付けられ、蓋取付け開口３４はそのための取付け部である。蓋取付け開口３４の上部には、後述する蓋の係合部を取付ける際に、左右の係合部を蓋取付け開口３４にスムーズに挿入するために、斜面状のガイド３４ａが形成される。
【００２３】
一対の外プレート部３０の後端部３０ｂは垂直に形成され、一方、外プレート部２０の前上部の断面には斜面３０ｃが形成される。後端部３０ｂと斜面３０ｃとにより、連結時にブロック１０同士の回動角度が規制され、ブロック１０同士が所定の角度以上屈曲しない様に制限される。屈曲角度の規制を設けることによって、ケーブルの折り曲げられる曲率半径が所定以下にならないよう制限されて、ケーブルの断線発生が防止される。
【００２４】
また、一対の外プレート部３０には、ケーブルキャリア１の両端のブロック１０を、装置本体及び装置本体から引き出されるユニットにそれぞれ固定するための固定孔３６ａが形成される。
【００２５】
固定孔３６ａにビス等を挿入してネジ止めすることにより、ケーブルキャリア１の端部（ブロック１０の外プレート部３０）を装置本体及び装置本体から引き出されるユニットに固定することができる。そして、固定孔３６ａが形成される外プレート部３０に対向する側の外プレート部３０には、固定孔３６ａに挿入したビスを回すドライバー等の工具を挿入するための工具孔３６ｂが形成される。尚、固定孔３６ａは、図には記載されていないが、底プレート部５０にもあり、ネジ止めすることにより固定が可能である。
【００２６】
図２は、連結される前の２つのブロック１０を、連結方向に並べた図である。ブロック１０は前後方向に連結されるので、前後方向を連結方向とも呼ぶ。前述のように、前のブロック１０−１の一対の内プレート部４０−１に、後ろのブロック１０−２の一対の外プレート部３０−２を押し込んで、前のブロック１０−１の連結突起４２−１に、後ろのブロック１０−２の連結孔３２−２を係合させることで、ブロック１０−１，１０−２が連結される。必要な長さになるように複数のブロック１０が連結されて、ケーブルキャリア１が構成される。
【００２７】
図３は、ケーブル１００が収納され、蓋が装着される前の状態のケーブルキャリア１を示す図である。ここでは、ケーブルキャリア１の中で連結された２つのブロック１０を示す。連結されたブロック１０開放面からケーブル１００が、装着され収納された状態である。
【００２８】
図４は、蓋７０の構造を示す図である。図４Ａは、ケーブルキャリア１に使用される蓋７０の一部を示す斜視図である。図４Ｂは、図４Ａの点線で囲んだ部分を拡大した図である。
【００２９】
蓋７０は、ブロック１０に取付けられて、連結された複数のブロック１０の開放面を覆うものである。蓋７０は、ブロック１０の連結方向（前後方向）に沿って伸びる、薄肉（薄板）の細長い帯状部材で、例えば、プラスチックの成型シートである。
【００３０】
そして、蓋７０は、連結されたブロック１０の屈曲に応じて伸縮するよう、連結されたブロック１０の連結方向に沿って山谷の連続した形状に形成される。この山谷の連続した形状を、以下では、蛇腹状（形状）と表現する。図４に示す蛇腹形状は、前記連結されたブロックの連結方向に沿ってステップ状の凹凸が一定周期（間隔）で繰り返された形状である。
【００３１】
蓋７０は、山部７２と、谷部７４と、山部７２と谷部７４を繋ぐ垂直な側壁部７６から構成され、山部７２と谷部７４が略等間隔で繰り返されて形成されたものである。  
【００３２】
各山部７２は、同一形状である。山部７２には、幅方向の中央部分に、段差面７２ａとして一段低い部分が形成される。蓋７０は、連結方向に対して変形容易になるように薄肉で構成する必要があるが、そのままでは、連結方向以外の外力に対しても変形しやすくなる。そこで、山部７２に形成された段差面７２ａは、リブの作用をして、連結方向と直交するような方向（例えばＳ方向）から加わる外力に対して、蓋７０の剛性が高めて、蓋７０の撓みを低下させる。なお、段差面７２ａは、周囲から一段高く形成される面であってもよい。
【００３３】
各谷部７４は、左右端の形状を異にするものが、一定間隔で設けられる。谷部７４は、山部７２と同じ幅のものと、左右の端部に係合部７４ａが形成されたものと、左右の端部に半球状の切り込み部７４ｂが形成されたもの計３つのタイプが、等間隔で順番に設けられる。
【００３４】
係合部７４ａは、ブロック１０の蓋取付け開口３４に係合して、蓋７０をブロック１０に取付けるものである。蓋７０は、ブロック１０に係合されて連結された複数のブロック１０の開放面を覆う。図４の例では、谷部７４の２つおきに係合部７４ａが設けられる。つまり、各谷部の間隔をＰとすると、３Ｐの間隔で、係合部７４ａが設けられる。
【００３５】
切り込み部７４ｂは、ナイロンバンド等のクランプを巻き付けて、蓋７０とケーブル１００を固定するためのものである。これは、ケーブル１００を蓋７０に固定した方が作業上、都合がよい場合等がある為である。また、蓋７０は長尺サイズを用意して、使用する装置（例えば、自動取引装置）のケーブル長に合わせて切断して使用するようにしてもよく、その際に、切り込み部７４ｂを切断部分にしてもよい。
【００３６】
図５は、ケーブルキャリア１の一部を拡大して示す図である。図３で示した連結されてケーブル１００が収納されたブロック１０の各蓋取付け開口３４に、蓋７０の各係合部７４ａが取付けられた状態である。ケーブルキャリア１は、矢印Ｑの方向に屈曲可能となる。
【００３７】
なお、各ブロック１０の蓋取付け開口３４に蓋７０の各係合部７４ａが係合されるために、蓋７０に形成される係合部７４ａの間隔は、各ブロック１０の隣接する蓋取付け開口３４の間隔に等しくなるよう設定される。図４で示したように係合部７４ａの間隔を３Ｐとすると、各ブロック１０の隣接する蓋取付け開口３４の間隔も３Ｐになる。なお、本例では、１ブロックの長さが、ちょうど３周期分になるように山谷形状の長さが設定されているが、これに限らず、山谷形状の長さは、例えば１や２あるいは４周期分になるよう設定されてもよい。つまり、蓋７０の連続する山谷形状の１周期分の間隔Ｐは、隣接するブロック１０の蓋取付け開口３４間の間隔に対しＮ分の１（Ｎは１以上の整数）に設定すればよい。本例は、Ｎ＝３の場合である。
【００３８】
図６は、ブロック１０の屈曲に応じて、蓋７０が伸縮する様子を模式的に示す図である。屈曲する各ブロック１０の外形線を点線で示す。図６Ａは、屈曲する内側に蓋７０を取付けるよう構成されたケーブルキャリア１が屈曲される場合の図である。図５で示した構成のケーブルキャリア１の場合である。
【００３９】
ケーブルキャリア１の屈曲に応じて、隣接する山部７２と谷部７４が近付くような方向、つまり、蓋７０の連結方向に沿った長さを短縮するような方向に、側壁部７６が傾いていく。ブロック１０の屈曲移動に追随して、蓋７０の連結方向に沿った長さも短縮するので、蓋７０がブロック１０から脱落することがなく、収納されたケーブル１００も飛び出すおそれがない。
【００４０】
図６Ｂは、屈曲する外側に蓋７０を取付けるよう構成されたケーブルキャリア１で屈曲される場合である。図６Ｂの場合には、ケーブルキャリア１の屈曲に応じて、隣接する山部７２と谷部７４が離れるような方向、つまり、蓋７０の連結方向に沿った長さが伸びるような方向に、側壁部７６が傾く。ブロック１０の屈曲移動に追随して、蓋７０の連結方向に沿った長さも伸びるので、蓋７０がブロック１０から脱落することがなく、収納されたケーブル１００も飛び出すおそれがない。
【００４１】
図７は、ケーブルキャリア１の全体を示す図である。図６Ａで示した、屈曲する内側に蓋７０を取付けるよう構成されたケーブルキャリア１の全体図である。図６Ｂで示したような屈曲する外側に蓋７０を取付けるケーブルキャリア１の例は、省略する。
【００４２】
図８は、蓋７０の蛇腹形状の他の例を示す図である。蓋７０の蛇腹形状として、ステップ状の凹凸形状の例を示したが、これに限るものではく、ケーブルキャリア１の屈曲に応じて伸縮する形状であればよい。
【００４３】
図８Ａは、蛇腹形状を一対の斜面部７８で形成した例である。斜面部７８は前後方向に対称な形状で、側面から見て二等辺三角形の２辺を構成するような形状である。ケーブルキャリア１の屈曲に応じて、斜面部７８の傾きが変化することで、蓋７０の連結方向に沿った長さが伸縮する。
【００４４】
また、一対の斜面部７８には、それぞれ段差面７８ａが設けられる。谷部７４は、図４で示したステップ状の凹凸形状と同一形状で、係合部７４ａ及び切り込み部７４ｂが、それぞれ２つおきに形成される。
【００４５】
図８Ｂは、図８Ａの斜面部７８を曲面部８０で構成したものである。曲面部８０の湾曲度合い（曲率）が、ケーブルキャリア１の屈曲に応じて変化することで、蓋７０の連結方向に沿った長さが伸縮する。谷部７４は、図４で示したステップ状の凹凸形状と同一形状で、係合部７４ａ及び切り込み部７４ｂが、それぞれ２つおきに形成される。
【００４６】
図８Ｃは、図４で示したステップ状の凹凸形状の蛇腹形状に対して、山部７２と谷部７４の長さを異ならせたものである。山部７２と谷部７４の連結方向での長さは、必ずしも同じである必要はなく、図８Ｃで示すように、山部７２＜谷部７４でもよいし、逆に、山部７２＞谷部７４でもよい。
【００４７】
以上説明した実施形態により少なくとも奏される効果を列記する。
・従来のように、各ブロックに個別の蓋を取付ける構造では、組立時に、蓋の過不足を管理する必要があったり、またブロックに嵌合されているかを確認（蓋の嵌合確認）する時間も必要であったが、本実施形態によれば、これらの時間を低減することができる。
・組立時に、蓋の谷部に形成した切欠き部を利用してナイロンバンド等のクランプを巻き付けることにより、蓋とケーブルを固定し、ブロックに格納することができる。
・従来のように、各ブロックに個別の蓋を取付ける構造では、細いケーブルが含まれる場合には、太いケーブルにナイロンバンドで一体化したり、網状の保護チューブに格納して、細いケーブルのはみ出しを防止する対策をしていたが、本実施形態によれば、これらの対策が不要になる。
・長尺の蓋を用意し、ケーブル長に合わせて切断して使用することもできるので、必要長の蓋を事前に手配しておく必要がなく、長さの管理が不要になる。
・蓋は、一体化されており、固定部が数か所外れても、容易には外れない。
【００４８】
また、以上説明した実施形態においては、以下の変形も可能である。
・蓋は、薄く柔軟性を有していればよく、プラスチックではなく金属の薄板でもよい。
・谷部の２つおきに係合部を設けたが、これは一例で、１つおきあるいは３つおきに設けるようにしてもよい。
【００４９】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００５０】
１、２００      ケーブルキャリア
１０，２１０    ブロック
２０    サイドプレート
３０，２３０    外プレート部
３０ａ  斜面
３２    連結孔
３４    蓋取付け開口
３６ａ  固定孔
３６ｂ  工具孔
４０    内プレート部
４２    連結突起
４２ａ  斜面  
５０    底プレート部
６０    収納部
７０、２７０    蓋
７２    山部
７２ａ  段差面
７４    谷部
７４ａ  係合部
７４ｂ  切り込み部
７６    側壁部
７８    斜面部
８０    曲面
１００  ケーブル
【図１】
2015175384.tif 000003
【図２】
2015175384.tif 000004
【図３】
2015175384.tif 000005
【図４】
2015175384.tif 000006
【図５】
2015175384.tif 000007
【図６】
2015175384.tif 000008
【図７】
2015175384.tif 000009
【図８】
2015175384.tif 000010
【図１０】
2015175384.tif 000011
【図１１】
2015175384.tif 000012
【図１２】
2015175384.tif 000013
【図９】
2015175384.tif 000014